(57)【要約】【課題】  本考案は、特に、折り畳み式多機能構造を有する多機能型健康器具の改良である。【解決手段】主に２つの座板１０，１１と１つの調整集成体２０と２つの作動ロッド集成体３０とからなり、２つの座板１０，１１は１つの連結部１２により枢軸連結され、且つ、その内１つの座板１０，１１は調整集成体２０の連結台座２１に固定設置され、調整集成体２０は連結台座２１と連結ロッド２２とＴ字型ロッド２３とからなり、Ｔ字型ロッド２３の両端にそれぞれ１つの作動ロッド集成体３０が設置され、上記構造により折り畳み収納が実現し、収納スペースの節約の目的を達成することができ、又、使用時、使用者は使用方式を変換調整することにより、異なった機能の運動が可能となる。【選択図】  図１
0003109891.tif 000002
【実用新案登録請求の範囲】
【請求項１】
使用者の身体の一部を載せるための並列された２枚の座板１０，１１と、前記座板１０の一側に立設される調整集成体２０と、前記調整集成体２０の上端部左右に配設された一対の作動ロッド部材３０とからなる折畳み可能な多機能型健康器具であって、
前記２つの座板１０，１１はそれぞれの底部が連結部１２の枢軸結合プレート１２１により枢軸連結され、且つ、２つの座板１０，１１は連結部１２の連結構造により折り畳み可能であり、
前記調整集成体２０は、前記座板１０と連結される連結台座２１と、連結ロッド２２とＴ字型ロッド２３とからなり、前記連結ロッド２２の左，右の下端連結部には、それぞれ枢支ピン４１が挿通された長穴状の導孔２２１が形成されて、前記連結台座２１と、連結ロッド２２とを折り畳み可能に連結してなり、  
前記連結ロッド２２の上端部には、Ｔ字型ロッド２３の下部が、高さ方向の調整を可能にして調整ピン４０により固定されてなり、さらに前記Ｔ字型ロッド２３の左右両端にはそれぞれ作動ロッド集成体３０が配設されており、
前記作動ロッド集成体３０は、それぞれ連結アーム３１とアームロッド３２とからなり、連結アーム３１には調整部材３１１と弾性負荷部材３１４とが設けられ、前記調整部材３１１は前記Ｔ字型ロッド２３に調整ピン４０により進退自在に固定されると共に、前記弾性負荷部材３１４には環状連結部材３１３を介して前記アームロッド３２が取り付け角度の変更可能に連結されるようになっていることを特徴とする折畳み可能な多機能型健康器具。
【考案の詳細な説明】
【技術分野】
【０００１】
本考案は多機能型健康器具の改良に係り、特に、多機能型健康器具の構造を折り畳み可能とすると共に、身体の鍛錬・訓練運動をしようとする使用態様にあわせて健康器具の組み付け形状を変更させることが可能な折畳み可能な多機能型の健康器具に関するものである。
【背景技術】
【０００２】
これまでの健康器具は、使用者のニーズに合わせて各種機能を有する健康器具が開発されているが、これらに共通している点は、一定の使用空間（設置場所）を必要とし、且つ、使用後は空間の浪費という状態になりやすく、特に生活居住空間が狭くなっている現代社会においては、空間の有効利用が重要な問題となっている。
【０００３】
従来の健康器具は単一運動機能を有する健康器具であるため、使用者は、その他の鍛錬・訓練運動を行ないたい時には、新しく別の機能を持つ健康器具を改めて購入する必要があり、費用がかさむ結果となる。
また、以前に購入している健康器具の使用頻度が減少する可能性も高く、又、２つ以上の健康器具を使用する場合は、健康器具の設置空間を改めて必要とし、場所を広く必要とし、かつ不使用の健康器具の収納に苦労する問題がある。
【０００４】
従って、従来の健康器具は、実際使用する場合、実用性に欠けると言う問題を解決しておらず、如何にして上記欠点を改良した構造の健康器具を開発できるかが、関係業界では開発目標となっている。
本考案人は上記課題に取り組み、関係する製品の開発及び設計に従事し、上記の目標に焦点をしぼり、研究を行ない、設計もより精密になり、試験と評価を繰り返し、ついに実用性のある本考案が完成した。
【考案の開示】
【課題を解決するための手段】
【０００５】
本考案は、使用者の身体の一部を載せるための並列された２枚の座板１０，１１と、前記座板の一側に立設される調整集成体２０と、前記調整集成体２０上端部左右に配設された一対の作動ロッド部材３０とからなる折り畳み可能な多機能型の健康器具であって、前記２つの座板１０，１１はそれぞれの底部が連結部１２の枢軸結合プレート１２１により枢軸連結され、且つ、２つの座板１０，１１は連結部１２の連結構造により折り畳み可能であり、前記調整集成体２０は、前記座板１０と連結される連結台座２１と、連結ロッド２２とＴ字型ロッド２３とからなり、前記連結ロッド２２の左，右の下端連結部には、それぞれ枢支ピン４１が挿通された長穴状の導孔２２１が形成されて、前記連結台座２１と、連結ロッド２２とを折り畳み可能に連結してなり、前記連結ロッド２２の上端部には、Ｔ字型ロッド２３の下部が、高さ方向の調整可能にして調整ピン４０により固定されてなり、さらに前記Ｔ字型ロッド２３の左右両端にはそれぞれ作動ロッド集成体３０が配設されており、前記作動ロッド集成体３０はそれぞれ連結アーム３１とアームロッド３２とからなり、連結アーム３１には調整部材３１１と弾性負荷部材３１４とが設けられ、前記調整部材３１１は前記Ｔ字型ロッド２３に調整ピン４０により進退自在に固定されると共に、前記弾性負荷部材３１４には環状連結部材３１３を介して前記アームロッド３２が取り付け角度の変更可能に連結されるようになっていることを特徴とする。
【考案の効果】
【０００６】
本考案の折畳み可能な多機能型の健康器具は、使用者の身体の一部を載せるための並列された２枚の座板１０，１１と、前記座板１０の一側に立設される調整集成体２０と、前記調整集成体２０上端部左右に配設された一対の作動ロッド集成体３０とからなり、前記並列された２枚の座板１０，１１は互いに重ね合わせ状態に折り畳むことが可能であり、また前記座板１０の一側に立設される調整集成体２０は、前記連結ロッド２２の左，右の下端連結部に設けた枢支ピン４１が挿通される長穴状の導孔２２１によって、前記連結台座２１と、連結ロッド２２とを折り畳み可能に連結してあるため、使用後の健康器具を折り畳むことで健康器具の収納がコンパクトになり収納場所が狭くてよいという実用的な効果がある。
【０００７】
また、環状連結部材３１３を介して前記アームロッド３２が取り付け角度の変更可能に連結されるようになっているため、身体の鍛錬・訓練運動をしようとする使用態様にあわせて健康器具の組み付け形状を変更させることが可能である。
【考案を実施するための最良の形態】
【０００８】
以下、添付図面をもとに、本考案の折畳み可能な多機能型健康器具にかかる好適な実施形態について詳細に説明する。
【実施例】
【０００９】
図１〜図４は、本考案の折畳み可能な多機能型健康器具の実施例を示すもので、図１は本考案の折畳み可能な多機能型健康器具に実施例を示す全体斜視図。図２は図１の組み立て分解図。図３は要部の一部切欠き断面で示す平面図。図４は本考案の折畳み可能な多機能型健康器具を折り畳んだ状態を示す斜視図である。
【００１０】
図１において、本考案の実施例に係る折り畳み可能な多機能型健康器具は、使用者の身体の一部を載せて支持するための並列された長方形状等の矩形状の２枚の座板１０，１１と、前記座板１０の一側に立設される調整集成体２０と、前記調整集成体２０上端部左右に配設された一対の作動ロッド部材３０とからなる。
【００１１】
前記２つの座板１０，１１はそれぞれの底部が連結部１２の枢軸結合プレート１２１により枢軸連結され、且つ、２つの座板１０，１１は連結部１２の連結構造により折り畳み可能である。
前記調整集成体２０は、前記座板１０と連結される連結台座２１と、連結ロッド２２と、Ｔ字型ロッド２３とからなる。
【００１２】
前記連結ロッド２２の左，右の下端連結部には、それぞれ長穴状の導孔２２１が形成されており、前記連結台座２１にもこれら導孔２２１に対応するように導孔２１１が形成されており、連結ロッド２２を前記連結台座２１に嵌めこみ、これら導孔に枢支ピン４１を挿通することにより折り畳み可能に連結している。
【００１３】
前記連結ロッド２２の上端部には、Ｔ字型ロッド２３の下部が、高さ方向の調整を可能にして嵌め込まれて調整ピン４０により固定されてなり、そして、前記Ｔ字型ロッド２３の左右両端にはそれぞれ作動ロッド集成体３０が配設される。
【００１４】
前記作動ロッド集成体３０はそれぞれ連結アーム３１とアームロッド３２とからなり、連結アーム３１には調整部材３１１と弾性負荷部材３１４とが設けられ、前記調整部材３１１は前記Ｔ字型ロッド２３に調整ピン４０により進退自在に固定されると共に、前記弾性負荷部材３１４には環状連結部材３１３を介して前記アームロッド３２が取り付け角度の変更可能に連結されるようになっている。
【００１５】
前記連結アーム３１の一方の調整部材３１１は、数個の調整孔３１２を有し、Ｔ字型ロッド２３の両端に挿入設置して、前記Ｔ字型ロッド２３と連結される。また他方の弾性負荷部材３１４は１つのばねの端部に１つの環状連結部材３１３が固定設置されており、アームロッド３２がその一端に環状連結部材３１３に嵌合できる突起部３２１を有し、且つ、調整ばね３２２を有することにより、連結アーム３１と枢軸組み合わせできるようになる。
【００１６】
本考案は上記構成とすることにより、健康器具を折り畳み可能とし、不使用時における収納がコンパクトにでき、設置スペースの改善が確保できる。
更にまた、使用者は使用時に使用方式を変換調整することにより、実用的効果を達成することができる。
【００１７】
図５〜図７は本考案の折畳み可能な多機能型の健康器具の異なる使用状態を示すもので、図５は、使用者が身体の一部である背中を２枚の座板１０，１１上に載せ、左右の前記アームロッド３２の先端を両手に持ち、前記弾性負荷部材３１４に抗して下方に引き下げることで、腕力あるいは胸の筋肉が鍛錬できる。
【００１８】
図６は、使用者が下半身を２枚の座板１０，１１上に載せ、左右の前記アームロッド３２の先端を両手に持ち、前記弾性負荷部材３１４に抗して左右方向に広げることで、腕力あるいは胸の筋肉が鍛錬できる。
【００１９】
図７は使用者が２枚の座板１０，１１の反対側に立ち、かつ左右の前記アームロッド３２の先端が上方になるように取り付けて、前記アームロッド３２の先端を両手に持ち、前記弾性負荷部材３１４に抗して左右方向に押し広げることで、腕力あるいは胸の筋肉が鍛錬できる。
【００２０】
また、本考案の構成によれば、使用者のニーズに合わせ、適当な使用形態に調整することができる。即ち、使用者は調整ピン４０により調整集成体２０の高さを調整することができ、又、Ｔ字型ロッド２３両端の調整ピン４０により２つの作動ロッド集成体３０の設置方向を変えることができ、又、突起部３２１と環状連結部材３１３との嵌合位置の変化により作動ロッド集成体３０の方向を調整することができ、上記により各種の異なる形態の健康運動を行なうことができる。
【００２１】
さらに上述したが使用後は、２つの座板１０，１１を折り畳み、連結台座２１上の連結ロッド２２を導孔２２１と貫通孔２１１の枢支ピン４１との構造により折り畳むことができ（図４）、使用後の健康器具を小さく折り畳むことができる。
【００２２】
上記は本考案の実施例について説明したものであるが、本考案の実用新案登録請求の範囲内における各種の変更・修正はすべて本考案の技術的範囲に即するものであると了解されたい。
【図面の簡単な説明】
【００２３】
【図１】本考案の折畳み可能な多機能型健康器具に実施例を示す全体斜視図。
【図２】図１の組み立て分解図。
【図３】要部の一部切欠き断面で示す平面図。
【図４】本考案の折畳み可能な多機能型健康器具を折り畳んだ状態を示す斜視図。
【図５】本考案の折畳み可能な多機能型健康器具の使用状態を示す斜視図。
【図６】本考案の折畳み可能な多機能型健康器具の使用状態を示す斜視図。
【図７】本考案の折畳み可能な多機能型健康器具の使用状態を示す斜視図。
【符号の説明】
【００２４】
１０        座板
１１        座板
・          連結部
１２１      枢軸結合プレート
２０        調整集成体
２１        連結台座
２１１      貫通孔
２２        連結ロッド
２２１      導孔
２３        T型ロッド
３０        作動ロッド集成体
３１        連結アーム
３１１      調整部材
３１２      調整孔
３１３      環状連結部材
３１４      弾性負荷部材
３２        アームロッド
３２１     突起部
３２２      調整ばね
４０        調整ピン
４１        枢支ピン
【図１】
0003109891.tif 000003
【図２】
0003109891.tif 000004
【図３】
0003109891.tif 000005
【図４】
0003109891.tif 000006
【図５】
0003109891.tif 000007
【図６】
0003109891.tif 000008
【図７】
0003109891.tif 000009